(57)【要約】【課題】自動分析装置を操作する上で、問題のある試薬を特定する場合、複数の画面を表示させなければならず、経験の浅いオペレータにとっては問題箇所の特定が困難である。【解決手段】自動分析装置を用いて分析する際に重要となる試薬・キャリブレータ・コントロールの情報を同時表示することにより、１画面で必要な情報を参照可能とする。【効果】一装置上に搭載されている全ての試薬情報を一括表示するより、経験の浅いオペレータにも、問題のある試薬を容易に特定することが可能となる。また従来方式のような画面の切換えがなくなり、操作性が向上し視認性が向上する。【選択図】図３
2008058125.tif 000002
【特許請求の範囲】
【請求項１】
複数の試薬を載置する試薬載置手段を備えた自動分析装置において、
該試薬載置手段に搭載された試薬について、
試薬の搭載位置の情報とともに、
少なくとも試薬の残量の情報，試薬の有効期限の情報，校正の有効時間の情報，精度管理の有効時間の情報のうちから選ばれた１つ以上の情報を同一画面上で表示する表示手段を備えたことを特徴とする自動分析装置。
【請求項２】
複数の試薬を載置する試薬載置手段を備えた自動分析装置において、
該試薬載置手段に搭載された試薬について、
試薬の搭載位置の情報とともに、
少なくとも試薬の残量の情報，試薬の有効期限の情報，校正の有効時間の情報，精度管理の有効時間の情報のうちから選ばれた２つ以上の情報を同一画面上で表示する表示手段を備えたことを特徴とする自動分析装置。
【請求項３】
複数の試薬を載置する試薬載置手段を備えた自動分析装置において、
該試薬載置手段に搭載された試薬について、
試薬の搭載位置の情報とともに、
試薬の残量の情報，試薬の有効期限の情報，校正の有効時間の情報，精度管理の有効時間の情報を同一画面上で表示する表示手段を備えたことを特徴とする自動分析装置。
【請求項４】
請求項１〜３のいずれかに記載の自動分析装置において、
前記試薬の搭載位置の情報は、試薬載置手段に配置された物理的位置に対応して試薬位置を表示するとともに、
前記試薬の残量の情報，試薬の有効期限の情報，校正の有効時間の情報，精度管理の有効時間の情報は、予め定めた分類に従い、識別表示することを特徴とする自動分析装置。
【発明の詳細な説明】
【技術分野】
【０００１】
本発明は、血液・尿などの生体サンプルを分析する自動分析装置に係り、特に試薬に関する情報を表示する機能を備えた自動分析装置に関する。
【背景技術】
【０００２】
自動分析装置の試薬は開栓後の有効期間が決められており、装置に搭載された試薬が有効期間内にあるかどうかをチェックすることが重要である。このようなチェックを自動で行い、有効期間を過ぎている試薬がある場合は、アラームを発するとともに、有効期間を過ぎている試薬の設置位置を表示する機能を備えた自動分析装置が特許文献１に記載されている。
【０００３】
【特許文献１】特開２０００−３１０６４３号公報
【発明の開示】
【発明が解決しようとする課題】
【０００４】
特許文献１に記載された自動分析装置では、試薬に関する問題点を確認するために複数の画面を参照する必要があり、問題の試薬を特定するのに手間がかかった。
【０００５】
本発明の目的は、一目で試薬の状況を把握できる画面を備えた自動分析装置を提供することにある。
【課題を解決するための手段】
【０００６】
上記目的を達成するための本発明の構成は以下の通りである。
【０００７】
複数の試薬を載置する試薬載置手段を備えた自動分析装置において、該試薬載置手段に搭載された試薬について、試薬の搭載位置の情報とともに、少なくとも試薬の残量の情報，試薬の有効期限の情報，校正の有効時間の情報，精度管理の有効時間の情報のうちから選ばれた１つ以上の情報を同一画面上で表示する表示手段を備えた自動分析装置。
【発明の効果】
【０００８】
複数の情報を１画面で一括表示することにより、経験の浅いオペレータにも、問題のある試薬を容易に特定することが可能となる。また従来方式のような画面の切換えがなくなり、操作性が向上し視認性が向上する。
【発明を実施するための最良の形態】
【０００９】
以下に、本発明の実施例を図面に基づいて説明する。
【００１０】
図１は、本発明による自動分析装置の実施例を示す構成図である。操作部１０１は、例えばキーボードやＣＲＴから構成され、精度管理試料測定データ，キャリブレーション依頼および推奨情報の表示、あるいは精度管理試料とキャリブレーションの測定依頼指示の操作などを行うためのものである。記憶部１０２は、ハードディスクなどから構成され、精度管理試料測定データあるいはキャリブレーション測定の推奨情報などが格納されている。
【００１１】
分析部１０３は、試料の分注や測定などを行うものである。
【００１２】
そして、データ処理部１０４は、前記の記憶部１０２の制御や測定データの判定処理などを行うものである。
【００１３】
図２は、従来の方式で試薬・キャリブレータ・ＱＣの状態を確認するために参照する方法の画面を示す構成図である。試薬の残量を確認するためには、Reagent Job２０１の
Setting 画面２０２に遷移し、画面に表示されている試薬一覧の中から問題のある試薬を探していた。キャリブレーションに関して問題のある試薬情報を参照するためには、
Calibration Job２０３のStatus 画面２０４に遷移し、問題のある試薬を探していた。従来の自動分析装置においては、ＱＣに関して問題のある試薬情報を参照するためには、QCJob２０５のRun Status 画面２０６に遷移し、表示されているチャートの中から問題のある項目を選択することにより、問題となる試薬情報を探していた。
【００１４】
図３は本発明における表示方式で、試薬・キャリブレータ・ＱＣの状態を確認するための画面を示す構成図である。試薬オーバービュー画面３０１に、装置に対応したポジション数の試薬情報を表示する試薬ディスク３０２と、各試薬毎に表示する試薬状態表示位置３０３，キャリブレーション状態表示位置３０４，ＱＣ状態表示位置３０５と、各状態位置に表示される状態の色情報が配置されている。各状態位置に表示される色情報は、図４，図５，図６の処理の結果、試薬情報の状態表示色情報３０６に設定されている色で表示される。
【００１５】
図４は、試薬情報の状態および対応する表示色を判別する処理を示したフローである。試薬のポジション毎に、試薬情報を読込み（４０１），試薬の有効期限範囲チェック
（４０２），RedCheck範囲チェック（４０３），YellowCheck範囲チェック（４０４）を行い、試薬状態表示位置３０３の表示色を更新する（４０５）。
【００１６】
図５は、キャリブレーションの状態および対応する表示色を判別する処理を示したフローである。試薬のポジション毎に、キャリブレーション情報を読込み（５０１）、キャリブレーション実施有無チェック（５０２），キャリブレーションデータ有効チェック
（５０３），キャリブレーション依頼有無チェック（５０４）を行い、キャリブレーション状態表示位置３０４の表示色を更新する（５０５）。
【００１７】
図６は、ＱＣの状態および対応する表示色を判別する処理を示したフローである。試薬のポジション毎に、ＱＣ情報を読込み（６０１）、ＱＣ実施有無チェック（６０２），コンフィデンスリミット範囲チェック（６０３），ＱＣ依頼有無チェック（６０４）を行い、ＱＣ状態表示位置３０５の表示色を更新する（６０６）。
【００１８】
図６から図８の処理を試薬ディスクの試薬ポジション数繰返し、試薬ディスクの全ポジションの試薬状態を表示することにより、複数の情報を１画面で一括表示することが可能となり、問題のある試薬を容易に特定できる効果がある。
【図面の簡単な説明】
【００１９】
【図１】分析装置の基本的な概略を示す構成図。
【図２】従来の画面構成を示す概要図。
【図３】複数の試薬に関する情報を表示する画面例。
【図４】試薬情報の状態および対応する表示色を判別する処理を示したフロー。
【図５】キャリブレーションの状態および対応する表示色を判別する処理を示したフロー。
【図６】制度管理の状態および対応する表示色を判別する処理を示したフロー。
【符号の説明】
【００２０】
１０１…操作部、１０２…記憶部、１０３…分析部、１０４…データ処理部、２０１…Reagent Job、２０２…Setting画面、２０３…Calibration Job、２０４，２０６…Run 
Status画面、２０５…QC Job、３０１…試薬オーバービュー画面、３０２…試薬ディスク、３０３…試薬状態表示位置、３０４…Calibration 状態表示位置、３０５…ＱＣ状態表示位置、３０６…試薬情報の状態表示色情報。
【図１】
2008058125.tif 000003
【図２】
2008058125.tif 000004
【図３】
2008058125.tif 000005
【図４】
2008058125.tif 000006
【図５】
2008058125.tif 000007
【図６】
2008058125.tif 000008